(57)【要約】【課題】部品点数が少なく、溶接工数も少ない簡素な構成を有するロータリ耕耘機におけるスタンド構造を提供する。【解決手段】ロータリ耕耘爪軸に耕耘爪を取付けて耕耘部を構成し、前記耕耘部の上方を覆うロータリカバー５０を有するロータリ耕耘機において、前記ロータリカバー５０に取付ブラケット５１及び支持ピン６０を介してスタンドをスタンド作用姿勢と非作用姿勢とに切換可能に取付けるとともに、前記ロータリカバー５０と前記取付ブラケット５１とは一体化されていることを特徴とする。【選択図】      図１
2005323523.tif 000002
【特許請求の範囲】
【請求項１】
ロータリ耕耘爪軸に耕耘爪を取付けて耕耘部を構成し、前記耕耘部の上方を覆うロータリカバーを有するロータリ耕耘機において、
前記ロータリカバーに取付ブラケット及び支持ピンを介してスタンドをスタンド作用姿勢と非作用姿勢とに切換可能に取付けるとともに、
前記ロータリカバーと前記取付ブラケットとは一体化されていることを特徴とするロータリ耕耘機におけるスタンド構造。
【請求項２】
前記取付ブラケットは、前記ロータリカバーの端部に設けられていることを特徴とする請求項１記載のロータリ耕耘機におけるスタンド構造。
【発明の詳細な説明】
【技術分野】
【０００１】
本発明は、トラクタに装着するロータリ耕耘機におけるスタンド構造に関する。
【背景技術】
【０００２】
従来からトラクターや耕耘機の後部にロータリ耕耘機を付設して耕耘作業を行っている。このロータリ耕耘機は、複数個の耕耘爪を取り付けたロータリ耕耘爪軸を回転させることにより耕耘を行うものである。このロータリ耕耘機のロータリカバーには、ロータリ耕耘機を地面に定置させるためのスタンド装置が設けられる。
【０００３】
例えば、特許文献１には、スタンド装置における脚部を姿勢変更する際の操作性を向上させるため、脚部を作用姿勢と非作用姿勢との間で反転自在に支持する軸と、脚部に設けられた係合部と、作用・非作用の各姿勢で軸に接近又は離反するように脚部を移動することにより係合部が係合又は離脱しかつ係合することによって脚部を各姿勢で位置決めする被係合部と、脚部を軸に接近する方向へ向けて付勢する付勢部材を備えた構成が開示されている。
【０００４】
また、特許文献２には、耕耘装置にスタンド装置をコンパクトに設けるとともに、スタンド部の切換を簡単且つ安定よく行うために、ロータリカバーの側面に取付ブラケットに支持ピンを介してスタンド部をスタンド作用姿勢と非作用姿勢とに切替可能に取付けた構成が開示されている。
【０００５】
他の従来技術としては、図３に示される如く、ロータリ耕耘機のチェーンケース１１に取付ブラケット５１を溶接で取り付け、この取付ブラケット５１にスタンド５２をピン６０、６１によりバネ６２とともに回動可能に取り付けている。そして、ロータリ耕耘機を地面に定置させるときは、スタンド台５３を地面に定置させるようにスタンド５２を回動させる。
【特許文献１】特開２００３−１９９４０６号
【特許文献２】特開平９−３１３００８号
【発明の開示】
【発明が解決しようとする課題】
【０００６】
しかし、上記構成においては、ロータリカバーにスタンド用の単独部品である取付ブラケットを溶接等で取付けているため、部品点数が多く、溶接工数も多くかかりコストが高くなるとともに構造が複雑であるという問題点があった。
【０００７】
そこで、本発明は、上記問題点を解決するためになされたもので、部品点数が少なく、溶接工数も少ない簡素な構成を有するロータリ耕耘機におけるスタンド構造を提供することを目的とする。
【課題を解決するための手段】
【０００８】
上記目的を達成するため、本発明の請求項１に係る発明は、ロータリ耕耘爪軸に耕耘爪を取付けて耕耘部を構成し、前記耕耘部の上方を覆うロータリカバーを有するロータリ耕耘機において、前記ロータリカバーに取付ブラケット及び支持ピンを介してスタンドをスタンド作用姿勢と非作用姿勢とに切換可能に取付けるとともに、前記ロータリカバーと前記取付ブラケットとは一体化されていることを特徴とするロータリ耕耘機におけるスタンド構造を提供する。
【０００９】
上記構成によると、前記ロータリカバーと前記取付ブラケットとは一体化されているので、極めて簡素な構成でスタンド部をスタンド作用姿勢と非作用姿勢とに切り換えることができる。
【００１０】
請求項２に係る発明は、前記取付ブラケットは、前記ロータリカバーの端部に設けられていることを特徴とする請求項１記載のロータリ耕耘機におけるスタンド構造を提供する。
【００１１】
上記構成によると、前記取付ブラケットは、前記ロータリカバーの端部に設けられているので、ロータリ耕耘機の端部においてスタンド部をスタンド作用姿勢と非作用姿勢とに切換可能であるので作業性がよい。
【発明の効果】
【００１２】
部品点数が少なく、溶接工数も少ない簡素な構成を有するロータリ耕耘機におけるスタンド構造を提供することができる。
【発明を実施するための最良の形態】
【００１３】
以下、本発明の実施の形態を図面に基づいて説明する。従来技術の構成と対応する構成には同符号を付す。
【実施例１】
【００１４】
まず、図２を参照しつつ、本発明の第１実施例に係るスタンド構造１００が取付けられるロータリ耕耘機１９の全体構造から説明する。図２は、本発明の第１実施例に係るスタンド構造が取付けられるロータリ耕耘機の一部断面図を示す。
【００１５】
トラクタの後部に装着されるロータリ耕耘機１９は、トラクタで牽引されながら、そのトラクタのＰＴＯ軸（動力取出し軸）からの動力でロータリ耕耘爪軸５が回転駆動されるようになっている。図２において、６は、ＰＴＯ軸（動力取出し軸）からの動力が伝達される入力軸であり、ベベルギアボックス１８の中間位置に設けられている。
【００１６】
ベベルギアボックス１８の一端側には、入力スプロケット１３、チェーン１４、出力スプロケット１５等からなるチェーン伝導機構が内装されたチェーンケース１１がボルト９締結により取付けられ, ベベルギアボックス１８の他端側には側板１２がボルト１０締結により取付けられている。
【００１７】
入力スプロケット１３は、ベベルギア７のギア出力を伝導する伝導軸８に固定され、出力スプロケット１５は、出力スプロケット軸１６に固定されている。出力スプロケット軸１６は、軸受１７により回動自在に支持され、その内側には適宜部材を介して駆動側フランジ２０が固設されている。
【００１８】
一方、側板１２には、ボルト２５締結により軸受２４が固設され、この軸受２４に回動自在に支持された軸部材２７の端に支持側フランジ２３が設けられている。この駆動側フランジ２０及び支持側フランジ２３に対応して、ロータリ駆動爪軸５の両端部には軸側フランジ２１，２２が設けられている。駆動側フランジ２０及び支持側フランジ２３に軸側フランジ２１，２２が各々ボルト締結されて、駆動側フランジ２０及び支持側フランジ２３の間にロータリ駆動爪軸５が取り付けられている。ロータリ耕耘爪軸５には、所定のピッチで複数のホルダー２が放射状に突設され、各ホルダー２に取付ボルト４により耕耘爪３が固定されている。
【００１９】
次に、本発明の第１実施例に係るロータリ耕耘機におけるスタンド構造の詳細を図１を参照しつつ説明する。図１は，本発明の第１実施例に係るロータリ耕耘機におけるスタンド構造の一部斜視図を示す。
【００２０】
本実施例におけるスタンド構造１００は、上記ロータリ耕耘機１９のロータリカバー５０に取付ブラケット５１が一体化されて取り付けられている。この取付ブラケット５１は、ロータリカバー５０の端部の位置に２枚のブラケット板５４，５４を平行に一体化して固設される形で構成されている。この２枚のブラケット板５４，５４には、ピン孔が設けられており、このピン孔に支持ピン６０を通すことによりスタンド５２を回動可能に取り付けられている。即ち、スタンド５２を回動させることにより、スタンド５２をスタンド作用姿勢と非作用姿勢とに切換可能に取付けられている。尚、図２上、１１はチェーンケース、５は耕耘爪軸、３は耕耘爪、２はホルダーである。
【００２１】
次に、上記構成を有するロータリ耕耘機におけるスタンド構造１００の作用を図１を参照しつつ説明する。
【００２２】
耕耘作業時には、スタンド５２が取付ブラケット５１の支持ピン６０を中心にして上方に持ち上げられ非作用位置にもってこられるので、耕耘爪軸５を回動し耕耘爪３を回転させロータリ耕耘機を前後進させることにより、耕耘作業を行うことができる。
【００２３】
逆に、耕耘作業を行わない場合は、スタンド５２を取付ブラケット５１の支持ピン６０を中心にして下方に回動させられ作用位置にもってこられるので、スタンド台５３が地面に接地し、ロータリ耕耘機を地面に安定良く立姿に維持することができる。
【００２４】
本実施例においては、取付ブラケット５１がロータリカバー５０に一体化されて固設されているので、部品点数が少なく溶接工数も必要がないので、簡素な構成においてスタンド台５３が地面に接地し、ロータリ耕耘機を地面に安定良く立姿に維持することができるとともに、逆に耕耘作業時には、簡易な構成においてスタンド５２が取付ブラケット５１の支持ピン６０を中心にして上方に持ち上げられ非作用位置にもってくることができる。
【００２５】
尚、本実施例においては、取付ブラケットは、２枚のブラケット板５４，５４をロータリカバー５０に一体化して固設する構成となっているが、ブラケット機能を果たしうる構成であれば他の構成であってもよい。例えば、ロータリカバー５０に切欠きを設ける構成であってもよい。
【図面の簡単な説明】
【００２６】
【図１】本発明の第１実施例に係るロータリ耕耘機におけるスタンド構造の一部斜視図。
【図２】本発明の第１実施例のスタンド構造が取付けられるロータリ耕耘機の一部断面図。
【図３】従来技術に係るロータリ耕耘機におけるスタンド構造の一部斜視図。
【符号の説明】
【００２７】
１００  スタンド構造
２  ホルダー
３  耕耘爪
４  耕耘爪取付ボルト
５  耕耘爪軸
５０  ロータリカバー
５１  ブラケット
５２  スタンド
５３  スタンド台
６０  ピン
６１  ピン
６２  バネ
【図１】
2005323523.tif 000003
【図２】
2005323523.tif 000004
【図３】
2005323523.tif 000005